(57)【要約】【課題】アラーム発生時に切り替わった画面表示から、通常監視用の画面表示に自動的に戻す。【解決手段】複数台の監視用撮像装置Ｃ１〜Ｃｎが撮像して出力する映像データを使用して監視を行う場合に、映像データを表示する表示部１２と、映像データを解析して、監視用撮像装置の撮像領域における異常発生を検知した場合にアラームを生成するアラーム生成部１４とを備えた。そしてアラーム生成部１４で生成されたアラームを検知した場合に、表示部での画面表示を、通常監視時の画面表示から異常発生が検知された撮像領域を撮像した画像を表示する画面表示に切り換え、所定のタイミングにおいて通常監視時の画面表示に復帰させるようにした。【選択図】図１
2008148158.tif 000002
【特許請求の範囲】
【請求項１】
複数台の監視用撮像装置が撮像して出力する映像データを使用して監視を行う監視装置において、
前記映像データを表示する表示部と、
前記映像データを解析して、前記監視用撮像装置の撮像領域における異常発生を検知した場合にアラームを生成するアラーム生成部と、
前記アラーム生成部で生成されたアラームを検知した場合に、前記表示部での画面表示を、通常監視時の画面表示から前記異常発生が検知された撮像領域の撮影画像を表示する画面表示に切り換え、前記アラーム検知から所定のタイミングになった際に前記通常監視時の画面表示に復帰させる制御を行う制御部とを備えたことを特徴とする
監視装置。
【請求項２】
請求項１記載の監視装置において、
前記所定のタイミングとは、前記アラーム生成部によるアラーム生成が終了したタイミングであることを特徴とする
監視装置。
【請求項３】
請求項２記載の監視装置において、
前記制御部は、前記表示部での画面表示が手動で切り替えられた場合には、前記通常監視時の画面表示への復帰制御は行わず、前記手動で切り換えられた画面表示を前記通常監視時の表示画面として設定することを特徴とする
監視装置。
【請求項４】
請求項２記載の監視装置において、
前記表示部に、前記異常発生が検知された撮像領域を撮像した画像が表示されている間に、前記アラーム生成部でアラームが生成された場合は、前記制御部は、前記所定のタイミングを、前記アラーム生成部で生成された最新のアラームが終了するタイミングに変更することすることを特徴とする
監視装置。
【請求項５】
請求項１記載の監視装置において、
時間の計測を行うタイマを備え、
前記所定のタイミングとは、前記タイマによる計測時間が予め設定された時間に達したタイミングであることを特徴とする
監視装置。
【請求項６】
請求項５記載の監視装置において、
前記制御部は、前記表示部での画面表示が手動で切り替えられた場合には、前記通常監視時の画面表示への復帰制御は行わず、前記手動で切り換えられた画面表示を前記通常監視時の表示画面として設定することを特徴とする
監視装置。
【請求項７】
請求項５記載の監視装置において、
前記タイマが時間を計測している間に、前記アラーム生成部でアラームが生成された場合は、前記タイマがリセットされることを特徴とする
監視装置。
【請求項８】
複数台の監視用撮像装置が撮像して出力する映像データを使用して監視を行う監視方法において、
前記映像データを表示し、
前記映像データを解析して、前記監視用撮像装置の撮像領域における異常発生を検知した場合にアラームを生成し、
前記アラームを検知した場合に、前記映像データが表示される画面表示を、通常監視時の画面表示から前記異常発生が検知された撮像領域を撮像した画像を表示する画面表示に切り換え、前記アラーム検知から所定のタイミングになった際に前記通常監視時の画面表示に復帰させることを特徴とする
監視方法。
【発明の詳細な説明】
【技術分野】
【０００１】
本発明は、複数台の監視用撮像装置が撮像して出力する映像データを使用して監視を行う監視装置及び監視方法に関する。
【背景技術】
【０００２】
従来、監視カメラと制御装置とをネットワークを介して接続した監視システムが用いられている。このような監視システムにおいて、監視カメラは、撮影した映像データを、ネットワークを介して制御装置である監視装置に送信する。監視装置は、映像データを解析することで異常の発生を検出し、アラームを出力する。監視員は、モニタに表示される監視映像及び制御装置が出力したアラームの内容を確認しながら監視を行うことができる。
【０００３】
このような監視システムでは、建物全体等の広い範囲を監視する場合には、複数台の監視カメラが用いられる。この場合、１つのモニタに表示される領域を複数の領域に分割して、分割された領域のそれぞれに複数台の監視カメラで撮影された各映像データを表示させることが行われている。ところが、設置された監視カメラの台数が多い場合には、すべての監視カメラによる撮影画像を１つのモニタ上に表示させると、表示領域の分割数が増えてしまい、一つ一つの領域が小さくなってしまうという問題があった。各領域が小さくなると、画面上で異常を発見しづらくなり、監視という本来の目的が達成されなくなってしまう。
【０００４】
このため、アラームが発生した場合には、異常が検出された画面が自動的に１つの画面全体に表示されるように、画面表示を切り替えることが行われている。
【０００５】
特許文献１には、複数の監視カメラから得られる画像の中で重要度の高いものを１つの画面に表示することについての開示がある。
【特許文献１】特開２００２−２８１４８８号公報
【発明の開示】
【発明が解決しようとする課題】
【０００６】
ところで、アラーム発生時に、画面表示をアラームが検知された画面に切り替える設定としてある場合は、アラームが終了して異常状態が解消された後も、アラームが発生した画面がそのまま表示され続けてしまう。異常状態解消後に再び通常の監視を続けようとすると、画面切り換え前の画面表示に手動で切り替えなければならず、手間がかかるという問題があった。
【０００７】
また、監視カメラの設置台数が多い場合には、各監視カメラから送信される画像を１つの画面上にすべて表示しきれないため、１つの画面上に表示させる画像の数を４つや６つ等に固定しておき、分割された各領域に割り当てる監視カメラを、時間毎に切り替えて表示することが行われている。このような場合は特に、アラーム終了後に再び現在監視中の画面表示に戻せるように、監視者は、現在監視している画面表示のパターンを常に把握しておかなければならないという問題があった。
【０００８】
本発明はかかる点に鑑みてなされたものであり、アラーム発生時に切り替わった画面表示から、通常監視用の画面表示に自動的に戻すことを目的とする。
【課題を解決するための手段】
【０００９】
本発明は、複数台の監視用撮像装置が撮像して出力する映像データを使用して監視を行う場合に、映像データを表示する表示部と、映像データを解析して、監視用撮像装置の撮像領域における異常発生を検知した場合にアラームを生成するアラーム生成部とを備えた。そしてアラーム生成部で生成されたアラームを検知した場合に、表示部での画面表示を、通常監視時の画面表示から異常発生が検知された撮像領域を撮像した画像を表示する画面表示に切り換え、アラーム検知から所定のタイミングになった際に通常監視時の画面表示に復帰させるようにしたものである。
【００１０】
このようにしたことで、表示部での画面表示が、通常監視時の画面表示から異常発生が検知された撮像領域の撮影画像を表示する画面に切り替わった場合でも、所定のタイミングで通常監視時の画面表示に自動的に切り替わるようになる。
【発明の効果】
【００１１】
本発明によると、アラーム発生時に切り替わった画面表示から、通常監視用の画面表示に自動的に戻るようになる。
【発明を実施するための最良の形態】
【００１２】
以下、本発明の一実施の形態を、添付図面を参照して説明する。
【００１３】
図１は、本発明の監視装置を用いた監視システムの構成例を示す図である。図１に示された監視システムは、監視領域を撮影する複数台の監視カメラ（監視用撮像装置）Ｃ１〜Ｃｎ（ｎは整数）と、その制御を行う監視装置１００、監視用のクライアント端末５０ａと５０ｂで構成され、それぞれを、ネットワーク１を介して接続してある。
【００１４】
監視カメラＣ１〜Ｃｎは、それぞれに割り当てられた監視領域を撮影するとともに、撮影した映像データを監視装置１００に送信する。また、監視カメラＣ１〜Ｃｎは動体又は不動体検知機能を有しており、検知結果を映像データの属性情報（メタデータ）として監視装置１００に送信する。
【００１５】
監視装置１００は、ネットワーク１とのインターフェースとして通信Ｉ／Ｆ部１１を備え、ネットワーク１を介して得た監視カメラＣ１〜Ｃｎの画像を表示する表示部１２を備える。表示部１２は液晶パネル等で構成してある。表示部１２に行う画面表示は、監視カメラ１台で撮影した画像を画面全体に表示させるパターンや、監視カメラＣ１〜Ｃｎで撮影されたそれぞれの画像を、監視カメラの台数分に区切られた各領域に表示させるパターン等、様々な表示方式を用いて行えるようにしてある。本例では、このような各種パターンを、「レイアウト」として管理しており、各種レイアウトをレイアウト設定ＤＢ（データベース）１３に記憶させてある。
【００１６】
ここで、レイアウトの具体例について図２を用いて説明する。図２におけるＣ１〜Ｃ９の符号は、図１での監視カメラＣ１〜Ｃ９に対応させてあり、例えば図２でＣ１と記載された部分には、監視カメラＣ１で撮影された画像が表示される。図２（ａ）に示されたレイアウトでは、表示部１２を領域ＡＲ１〜ＡＲ９の９つの領域に分割してあり、領域ＡＲ１には監視カメラＣ１の撮影画像、領域ＡＲ２には監視カメラＣ２の撮影画像、領域ＡＲ３には監視カメラＣ３の撮影画像、領域ＡＲ４には監視カメラＣ４の撮影画像、領域ＡＲ５には監視カメラＣ５の撮影画像、領域ＡＲ６には監視カメラＣ６の撮影画像、領域ＡＲ７には監視カメラＣ７の撮影画像、領域ＡＲ８には監視カメラＣ８の撮影画像、領域ＡＲ９には監視カメラＣ９の撮影画像が表示される。図２（ａ）に示されたレイアウトは、例えばレイアウトＬＹ１として、レイアウト設定ＤＢ１３に登録してあるものとする。
【００１７】
図２（ｂ）は、表示部１２の画面全体に、監視カメラＣ５で撮影された画像が表示されるレイアウトを示している。図２（ｂ）に示されたレイアウトは、レイアウトＬＹ２としてレイアウト設定ＤＢ１３に登録してあるものとする。また図２（ｃ）に示されたレイアウトでは、表示部１２の領域を、領域ＡＲ１〜ＡＲ４の４つに分割してあり、領域ＡＲ１には監視カメラＣ３の撮影画像、領域ＡＲ２には監視カメラＣ４の撮影画像、領域ＡＲ３には監視カメラＣ５の撮影画像、領域ＡＲ４には監視カメラＣ６の撮影画像が表示される。図２（ｃ）に示されたレイアウトは、レイアウトＬＹ３として、レイアウト設定ＤＢ１３に登録してあるものとする。つまり、表示領域の分割数と、分割された各領域への監視カメラの割り当て方の違いが、そのままレイアウトの種類となる。
【００１８】
設置された監視カメラが例えば９台の場合は、図２（ａ）のように表示部１２の領域を９つに分割すれば、各監視カメラで得られた画像を１つの画面上に表示することは可能である。ところが、２０台や３０台といった台数の監視カメラが接続されている場合には、ひとつの画面上にすべての監視カメラで得られた画像を表示することは難しくなる。このような場合は、例えば図３に示されたように、表示画面を一定時間毎に切り替えることで、すべての監視カメラの撮影画像を表示させることを行っている。
【００１９】
図３においては、一番上のレイアウトＬＹ１０では、監視カメラＣ１〜Ｃ４で撮影された画像を表示させ、一定の時間が経過後に、図面上で時計回りの右側に示されたレイアウトＬＹ１１に表示を切り替えて、監視カメラＣ５〜Ｃ８で撮影された画像を表示させている。そして次に、レイアウトＬＹ１２に表示を切り替えて監視カメラＣ９〜Ｃ１２で撮影された画像を表示させ、最後にレイアウトＬＹ１３に切り替えて監視カメラＣ１３〜Ｃ１６で撮影された画像を表示させている。このように、レイアウトを一定時間毎に自動的に切り替えて表示する手法を、レイアウトシーケンスと呼んでいる。レイアウトシーケンスを用いれば、接続されている監視カメラが何台であっても、順番にすべての監視カメラにおける撮影画像を表示部１２に表示させることが可能となる。
【００２０】
再び図１に戻って説明を続けると、監視装置１００は、監視カメラＣ１〜Ｃｎから送信された映像データ又はメタデータを解析して、異常を検知した場合にアラームを発生させる、アラーム生成部１４を備える。アラーム生成部１４は、複数フレームのメタデータを解析し、動体の位置の変化から速度を割り出したり、動体がある線を越えたか否かの確認をしたり、またはこれらを複合的に解析することで、アラームを発生させる必要があるか否かの判定を行う。そしてアラームを発生させる必要があると判定した場合に、アラームを生成する。アラーム生成部１４で生成されたアラームは、制御部１５に入力される。
【００２１】
制御部１５は、ＣＰＵ（Central Processing Unit）等で構成される中央処理装置である。制御部１５には、メモリ部１６が接続してあり、メモリ１６には、制御に必要なプログラムコード等の各種プログラムが記録されている。制御部１５は、メモリ１６に記憶されたプログラムを読み出して、監視装置１００の各部の制御を行う。例えばアラーム生成部１４で生成されたアラームを検知した場合には、制御部１５はメモリ１６に記録されたプログラムを起動し実行させる。その結果、表示部１２に画面切り換えを指示する指令信号が供給され、現在表示中のレイアウトから、アラームが発生している画面を表示させるレイアウトへの切り換えが行われる。
【００２２】
また本発明では、アラームが発生して表示部１２での表示画面が特定のレイアウトに切り替わった後、所定の時間が経過した後に自動的に元のレイアウトに戻るようにしてあり、監視装置１００は、時間を測定するタイマ１７を備えている。また監視装置１００は、マウスやキーボード等で構成される操作部１８と、監視カメラＣ１〜Ｃｎが得た映像データを記録させる記憶部１９を備える。通信Ｉ／Ｆ部１１と表示部１２、操作部１８、記憶部１９は、入出力Ｉ／Ｆ部２０を介して伝送ライン２１と接続してある。
【００２３】
ネットワーク１を介して監視システムに接続されたクライアント端末５０ａ及び５０ｂは、例えば遠隔地等に配置されるものであり、監視カメラＣ１〜Ｃｎで撮影された映像データを監視することができる。また、監視装置１００に対してレイアウトの指定を行うこともできるため、クライアント端末５０ａ又は５０ｂでは、指定したレイアウトを用いて監視を行うことも行われる。
【００２４】
次に、アラームが発生して表示部１２での表示画面が特定のレイアウトに切り替わった後、所定の時間が経過した後に自動的に元のレイアウトに復帰させる場合の処理例について、図４のシーケンス図を参照して説明する。本例においては、自動復帰させたいレイアウト（通常監視時のレイアウト）を「オリジナルレイアウト」として定義してあり、所望のレイアウトをオリジナルレイアウトとして設定することが可能である。
【００２５】
図４において、「メイン」「アラーム管理」「レイアウト管理」と示した部分は、本発明を実施するための処理アルゴリズムにおける、オブジェクトを表している。「アラーム管理」では、アラーム生成部１４（図１参照）との信号又はデータのやり取りが行われ、「レイアウト管理」では、レイアウト設定ＤＢ１３へのデータの書き込み又は読み出しが行われ、「メイン」では、制御部１５や表示部１２等のその他の各部との信号又はデータのやり取りが行われる。
【００２６】
図４において、まずオリジナルレイアウトとしてレイアウトＬＹ１（図２（ａ）参照）が設定される（ステップＳ１）。そして、この時点からアラーム管理が開始される（ステップＳ２）。アラーム管理では、アラーム生成部１４でアラームが生成されたタイミングやアラームの種類等が管理される。アラーム管理が開始された後は、アラーム生成部１４でアラームが生成されたタイミングで、アラーム発生通知（アラームの制御部１５への伝送）が行われる（ステップＳ３）。図４では、ここで発生したアラームをアラームＡＬ１としてある。
【００２７】
アラームＡＬ１の発生通知を受けると、制御部１５は表示部１２に対して、アラームＡＬ１が生成された画面を表示するレイアウトＬＹ２への切り換え指示を行う。この指令に基づき、表示部１２で表示されるレイアウトが、レイアウトＬＹ１からレイアウトＬＹ２に切り替わる（ステップＳ４）。そしてレイアウトＬＹ２への切り換えと同時に、レイアウト管理が開始される（ステップＳ５）。レイアウト管理においては、アラームの種類や生成タイミングに応じて、タイマ１７の動作の制御やレイアウト切り換えの制御が行われる。
【００２８】
レイアウト管理が開始すると、タイマ１７での計測が開始される（ステップＳ６）。図４に示した例においては、タイマ１７での計測時間が１分を経過した時点で、オリジナルレイアウトに自動的に復帰する設定がされているものとする。１分が経過してタイマ１７が停止すると（ステップＳ７）、同時にレイアウト管理も終了される（ステップＳ８）。また、レイアウト管理が終了されると同時に、オリジナルレイアウトとして既に登録済みのレイアウトＬＹ１に表示が切り替わる（ステップＳ９）。
【００２９】
このように構成することで、アラーム発生により表示部１２に表示される画面が特定のレイアウト表示に切り替わった場合にも、ユーザが予め設定した時間設定に基づいて、自動的にオリジナルレイアウトに復帰するようになる。図４に示した例における、表示部１２でのレイアウト表示の変遷を、図５に示してある。
【００３０】
図５（ａ）は、オリジナルレイアウトとして設定されたレイアウトＬＹ１を示したものであり、レイアウトＬＹ１が適用されている間は、表示部１２上の各領域に、監視カメラＣ１〜Ｃ９で撮影されたそれぞれの画像が表示される。この状態で、監視カメラＣ５が撮影した映像データ及びメタデータから、アラーム生成部１４によってアラーム（図４のアラームＡＬ１）が生成されると（図４のステップＳ３）、表示部１２での表示画面は、図５（ｂ）に示されたレイアウトＬＹ２に切り替えられる。レイアウトＬＹ２では、異常が検出された監視カメラＣ５による撮影画像が、画面全体に表示される。そして、タイマ１７により１分が計測された後は、再び図５（ｃ）に示されたオリジナルレイアウト（レイアウトＬＹ１）に表示が切り替わる。
【００３１】
図５では、通常の監視を行う際に表示させるレイアウトを、レイアウトＬＹ１に固定して運用している場合の画面遷移の例を示してあるが、レイアウトシーケンスの運用がされている場合であっても、同様にオリジナルレイアウトへの自動復帰の処理を適応させることが可能である。
【００３２】
図６は、レイアウトシーケンス運用時に、オリジナルレイアウトへの自動復帰が行われた場合の画面遷移を示した図である。図６（ａ）に示されたように、表示画面に監視カメラＣ１〜Ｃ４の撮影画像を表示するレイアウトＬＹ１０、監視カメラＣ５〜Ｃ８の撮影画像を表示するレイアウトＬＹ１１、監視カメラＣ９〜Ｃ１２の撮影画像を表示するレイアウトＬＹ１２、監視カメラＣ１３〜Ｃ１６の撮影画像を表示するレイアウトＬＹ１３を順番に切り替えて表示するレイアウトシーケンスが適用されている場合は、自動復帰の対象となるレイアウトは、アラーム発生の直前に表示されていたレイアウトとなる。図６（ａ）においては、そのレイアウトが、破線で囲んだレイアウトＬＹ１２であったものとする。
【００３３】
この状態で、監視カメラＣ５が撮影した映像データ及びメタデータから、アラーム生成部１４によってアラームが生成されると、表示部１２での表示画面は、図６（ｂ）に示されたレイアウトＬＹ２に切り替えられる。そして、タイマ１７で計測された時間が予め設定された時間に達した時に、図６（ｃ）に示されるように、表示部１２での表示がアラームの発生前に表示されていたレイアウトＬＹ２に切り替わる。
【００３４】
ただし、レイアウトを固定して運用している場合及びレイアウトシーケンス運用時に、操作部１８へのユーザの操作入力等によりマニュアルでレイアウトが変更された場合には、マニュアルで変更されたレイアウトで、現在設定されているオリジナルレイアウトが上書きされる。つまり、マニュアルで変更されたレイアウトが、新たなオリジナルレイアウト（自動復帰の対象レイアウト）となる。
【００３５】
図７に、マニュアルでレイアウトが変更された場合のレイアウト自動復帰処理例を示してある。まず、オリジナルレイアウトとしてレイアウトＬＹ１が設定される（ステップＳ１１）。そして、この時点からアラーム管理が開始される（ステップＳ１２）。アラーム管理が開始された後は、アラーム生成部１４でアラームが生成されたタイミングで、アラームＡＬ１発生通知が行われる（ステップＳ１３）。
【００３６】
アラームＡＬ１の発生通知を受けると、表示部１２で表示されるレイアウトが、レイアウトＬＹ１からレイアウトＬＹ２に切り替わる（ステップＳ１４）。そしてレイアウトＬＹ２への切り換えと同時に、レイアウト管理が開始され（ステップＳ１５）、レイアウト管理が開始されると、タイマ１７での計測が開始される（ステップＳ１６）。タイマ１７で計測が行われている間に、マニュアルでレイアウトがレイアウトＬＹ３に変更されると（ステップＳ１７）、これに連動してタイマ１７での計測も停止される（ステップＳ１８）。そして、マニュアルで変更されたレイアウトＬＹ３が、オリジナルレイアウトに設定される（ステップＳ１９）。
【００３７】
図４及び図７に示した例では、オリジナルレイアウトへの自動復帰を時間指定により行わせるようにしたが、アラーム（レイアウト変更のトリガ）の終了と連動させて、オリジナルレイアウトへの自動復帰を行う形態をとることも可能である。この場合は、アラームの発生間隔又は発生の長さ等を指定することにより、予めレイアウト変更のトリガの開始と終了とを定義付けておき、トリガの終了が検知された時点で、表示部１２に表示させるレイアウトをオリジナルレイアウトに切り替えるようにする。このように設定しておけば、トリガの終了時、つまり異常状態の解消時に自動的に表示画面がオリジナルレイアウトに復帰するようになる。
【００３８】
次に、図８及び図９を参照して、アラーム管理が開始された状態において、異なるアラームが連続して発生した場合の処理例について説明する。図８に示した例は、トリガの終了を検知したタイミングで、オリジナルレイアウトへの復帰を行わせる形態に適用した例である。
【００３９】
図８において、まず、オリジナルレイアウトとしてレイアウトＬＹ１が設定される（ステップＳ２１）。そして、この時点からアラーム管理が開始される（ステップＳ２２）。アラーム管理が開始された後は、アラーム生成部１４でアラームが生成されたタイミングで、アラームＡＬ１発生通知が行われる（ステップＳ２３）。
【００４０】
アラームＡＬ１の発生通知を受けると、表示部１２で表示されるレイアウトが、レイアウトＬＹ１からレイアウトＬＹ２に切り替わる（ステップＳ２４）。そしてレイアウトＬＹ２への切り換えと同時に、レイアウト管理が開始される（ステップＳ２５）。レイアウト管理が開始されると、アラームＡ１の発生がトリガの発生と認識され（ステップＳ２６）、トリガ終了までの間、アラームＡ１に対応したレイアウトＬＹ２が表示部１２に表示される。
この間、レイアウト管理においては、トリガ終了待ちの処理が行われる。
【００４１】
トリガ終了待ちの処理が行われている間に、別のアラームＡＬ３の発生通知がされると（ステップＳ２７）、アラームＡＬ３が生成された画面を表示するためのレイアウトＬＹ１２に表示が切り替わる（ステップＳ２８）。このとき、レイアウト管理ではアラームＡＬ３を新たなトリガとして認識し（ステップＳ２９）、トリガ終了待ち処理の対象トリガを、アラームＡＬ３に変更する。つまりこの時点で、オリジナルレイアウトへの復帰タイミングが、アラームＡＬ１の終了時からアラームＡＬ３の終了時に変更される。そしてアラームＡＬ３の終了が通知されると（ステップＳ３０）、トリガ終了の認識が行われ（ステップＳ３１）、オリジナルレイアウトであるレイアウトＬＹ１に、表示画面が自動復帰する（ステップＳ３２）。
【００４２】
図９には、この場合のアラーム発生とレイアウト変更の対比を時系列で示してある。アラームＡＬ１が発生する前はオリジナルレイアウトであるＬＹ１が表示されており、アラームＡＬ１が発生すると同時に、レイアウトがレイアウトＬＹ２に切り替わっている様子が示されている。次の新たなアラームであるＡＬ２が発生すると、レイアウトはＬＹ１２に切り替わるが、アラームＡＬ２の発生時点で、トリガ終了待ち処理の対象トリガがアラームＡＬ１からアラームＡＬ２に変更されているため、アラームＡＬ１が終了した時点では、オリジナルレイアウトへの自動復帰は行われない。アラームＡＬ２が終了した時点で初めて、オリジナルレイアウトであるＬＹ１への復帰が行われている。
【００４３】
図８及び図９を参照して説明したような、異なるアラームが連続して発生した場合だけでなく、同じアラームが一定の間隔を置いて連続して発生した場合にも、オリジナルレイアウトへの自動復帰のタイミングの調整が行われる。
【００４４】
図１０は、タイマ１７での計測時間に応じてオリジナルレイアウトへの復帰を行わせる形態における、同じアラームが連続して発生した場合の処理例を示したシーケンス図である。
【００４５】
図１０において、まず、オリジナルレイアウトとしてレイアウトＬＹ１が設定される（ステップＳ４１）。そして、この時点からアラーム管理が開始される（ステップＳ４２）。アラーム管理が開始された後は、アラーム生成部１４でアラームが生成されたタイミングで、アラームＡＬ１発生通知が行われる（ステップＳ４３）。
【００４６】
アラームＡＬ１の発生通知を受けると、表示部１２で表示されるレイアウトが、レイアウトＬＹ１からレイアウトＬＹ２に切り替わる（ステップＳ４４）。そしてレイアウトＬＹ２への切り換えと同時に、レイアウト管理が開始される（ステップＳ４５）。レイアウト管理が開始されると、タイマ１７による計測が開始される（ステップＳ４６）。
【００４７】
タイマ１７による計測が行われている間に、再びアラームＡＬ１の発生通知がされると（ステップＳ４７）、その情報がレイアウト管理にも伝送され（ステップＳ４８）、タイマ１７がリセットされる（ステップＳ４９）。そしてこの時点から再びタイマ１７による計測が開始される。タイマ１７で計測された時間が１分等の予め決められた時間に達すると、タイマ１７での計測が停止され（ステップＳ５０）、レイアウトがオリジナルレイアウトであるレイアウトＬＹ１に自動復帰する（ステップＳ５１）。
【００４８】
このように、異なるアラームが連続して発生した場合や、同じアラームが連続して発生した場合には、タイマ１７の計測対象のアラーム又はトリガ終了待ち処理の対象アラームが、時間的に後に発生したアラーム（最新のアラーム）に変更されるようにしため、異常状態が解消されていないにもかかわらず、表示画面がオリジナルレイアウトに自動復帰してしまうことがなくなる。
【００４９】
以上のように構成されたことにより、タイマによる計測終了時やトリガ終了時に表示画面がオリジナルレイアウトに自動的に復帰するため、監視員が手動でオリジナルレイアウトに表示を切り替える必要がなくなる。よって、監視員のオペレーションにおける負荷を低減させることができる。
【００５０】
また、レイアウトシーケンスを適用して監視を行っている場合にも、タイマによる計測終了時やトリガ終了時に表示画面がオリジナルレイアウトに自動的に復帰するため、監視員は、画面切り換え前に表示していたレイアウトを覚えておく必要がなくなる。
【００５１】
また、監視員が手動でレイアウトを変更した場合は、オリジナルレイアウトへの自動復帰処理が行われないため、監視員が意図して変更したレイアウトが、オリジナルレイアウトに切り替わってしまうようなことがなくなる。
【００５２】
なお、ここまで説明した実施の形態では、監視装置１００にクライアント端末５０ａ及び５０ｂを接続させる構成を例に挙げたが、本発明は、クライアント端末を接続しない構成に適用させてもよい。
【図面の簡単な説明】
【００５３】
【図１】本発明の一実施の形態による監視システムの構成例を示す構成図である。
【図２】本発明の一実施の形態によるレイアウトの例を示す説明図である。
【図３】本発明の一実施の形態によるレイアウトシーケンスの例を示す説明図である。
【図４】本発明の一実施の形態による時間指定によるレイアウト自動復帰の処理例を示すシーケンス図である。
【図５】本発明の一実施の形態によるレイアウト自動復帰の例を示す説明図である。
【図６】本発明の一実施の形態によるレイアウトシーケンス自動復帰の例を示す説明図である。
【図７】本発明の一実施の形態によるマニュアルでのレイアウト切り換え時のレイアウト自動復帰例を示すシーケンス図である。
【図８】本発明の一実施の形態によるアラーム連続発生時のレイアウト自動復帰例を示す説明図である。
【図９】本発明の一実施の形態によるアラーム連続発生時のレイアウト自動復帰例を示すシーケンス図である。
【図１０】本発明の一実施の形態によるアラーム連続発生時のレイアウト自動復帰例を示すシーケンス図である。
【符号の説明】
【００５４】
１１…通信Ｉ／Ｆ部、１２…表示部、１３…レイアウト設定ＤＢ、１４…アラーム生成部、１５…制御部、１６…メモリ、１７…タイマ、１８…操作部、１９…記憶部、２０…入出力Ｉ／Ｆ部、２１…伝送ライン、５０…クライアント端末、１００…監視装置、Ｃ１〜Ｃｎ…監視カメラ
【図１】
2008148158.tif 000003
【図２】
2008148158.tif 000004
【図３】
2008148158.tif 000005
【図４】
2008148158.tif 000006
【図５】
2008148158.tif 000007
【図６】
2008148158.tif 000008
【図７】
2008148158.tif 000009
【図８】
2008148158.tif 000010
【図９】
2008148158.tif 000011
【図１０】
2008148158.tif 000012